(57)【特許請求の範囲】
【請求項１】
電動送風機を内蔵した掃除機本体と、
この掃除機本体の前面に対し、後部開口部を介して着脱可能に取り付けられる集塵ケースと、
前記集塵ケース内に着脱可能に設けられるフィルター組立体と、
を有し、
前記フィルター組立体により分離した塵埃を前記集塵ケース内に貯留する電気掃除機において、
前記集塵ケースの前記後部開口部の近傍の内面に、内向きの突条部が環状に形成されると共に、
前記集塵ケースの内面から前記突条部の内周縁に向かって内寸が暫減する傾斜部が設けられ、
前記フィルター組立体が前記突条部に取り付けられる環状の後側枠部を有し、前記後側枠部が前記突条部に取り付けられて前記集塵ケース内に前記フィルター組立体が配置された状態で、前記掃除機本体の前記前面に前記集塵ケースの前記後部開口部が取り付けられ、
前記集塵ケースが、前記掃除機本体から分離し、かつ、前記フィルター組立体が取り外された状態で、前記後部開口部から内部の前記塵埃が排出されるように構成されることを特徴とする電気掃除機。
【請求項２】
前記突条部の内周形状を円形に形成すると共に、
前記フィルター組立体のシール部材の外周形状を円形とし、
このシール部材が前記突条部の内周に密着するように構成したことを特徴とする請求項１記載の電気掃除機。
【発明の詳細な説明】
【技術分野】
【０００１】
本発明は、掃除機本体から着脱可能な集塵ケースを有する電気掃除機に関するものである。
【背景技術】
【０００２】
従来、この種の電気掃除機としては、電動送風機が内蔵された掃除機本体に対し、集塵ケースを着脱可能に取り付けると共に、この集塵ケースの開口部に、フィルターケース（本発明のフィルター組立体に相当する）を着脱自在に取り付けたものが知られている。（例えば、特許文献１参照。）。そして、このような電気掃除機は、前記集塵ケースに設けられた吸込口から含塵気流を吸引し、前記フィルターケースに設けられたフィルターによって、前記含塵気流から塵埃を分離する。なお、前記フィルターケースには、取付枠が設けられており、この取付枠が前記集塵ケースの内壁に密着することで、前記吸込口以外から気流が前記集塵ケース内に流入しないように構成されている。
【先行技術文献】
【特許文献】
【０００３】
【特許文献１】特許第４７４８４５３号公報
【発明の概要】
【発明が解決しようとする課題】
【０００４】
しかしながら、このような電気掃除機は、前記集塵ケース内に溜まった塵埃を廃棄する際に、前記集塵ケースからフィルターケースを取り外す必要があるが、このフィルターケースを取り外した状態で前記集塵ケースを運搬する場合、この集塵ケースが傾いた際にこの集塵ケース内の塵埃が不用意にこぼれる虞があった。また、このような電気掃除機は、前記集塵ケースの開口部形状が非円形であった場合、前記取付枠の前記集塵ケース内面に対する密着力に差が生じるため、密着力の低い所から外気が前記集塵ケース内に流入してしまう虞もあった。
【０００５】
本発明は以上の問題点を解決し、不用意に塵埃をこぼしにくく、且つ気流漏れしにくい電気掃除機を提供することを目的とする。
【課題を解決するための手段】
【０００６】
本発明の請求項１に記載の電気掃除機は、電動送風機を内蔵した掃除機本体と、この掃除機本体の前面に対し、後部開口部を介して着脱可能に取り付けられる集塵ケースと、前記集塵ケース内に着脱可能に設けられるフィルター組立体と、を有し、前記フィルター組立体により分離した塵埃を前記集塵ケース内に貯留する電気掃除機において、前記集塵ケースの前記後部開口部の近傍の内面に、内向きの突条部が環状に形成されると共に、前記集塵ケースの内面から前記突条部の内周縁に向かって内寸が暫減する傾斜部が設けられ、前記フィルター組立体が前記突条部に取り付けられる環状の後側枠部を有し、前記後側枠部が前記突条部に取り付けられて前記集塵ケース内に前記フィルター組立体が配置された状態で、前記掃除機本体の前記前面に前記集塵ケースの前記後部開口部が取り付けられ、前記集塵ケースが、前記掃除機本体から分離し、かつ、前記フィルター組立体が取り外された状態で、前記後部開口部から内部の前記塵埃が排出されるように構成されることを特徴とする。
【０００７】
また、本発明の請求項２に記載の電気掃除機は、請求項１において、前記突条部の内周形状を円形に形成すると共に、前記フィルター組立体のシール部材の外周形状を円形とし、このシール部材が前記突条部の内周に密着するように構成したことを特徴とする。
【発明の効果】
【０００８】
本発明の請求項１に記載の電気掃除機は、以上のように構成することにより、前記集塵ケースに溜まった塵埃を捨てるために前記集塵ケースを運搬する場合、この集塵ケースが多少傾いたとしても、前記突条部によって塵埃が不用意にこぼれるのを防止することができる。
【０００９】
なお、前記突条部の内周形状を円形に形成すると共に、前記フィルター組立体のシール部材の外周形状を円形とし、このシール部材が前記突条部の内周に密着するように構成すれば、前記シール部の形状を簡単にすることができると共に、前記シール部全体が前記突条部の内周全体に対し均一且つ気密に密着するので、気流漏れを起こしにくくすることができる。
【図面の簡単な説明】
【００１０】
【図１】本発明の実施例１を示す全体断面図である。
【図２】同、全体斜視図である。
【図３】同、前向きの分解斜視図である。
【図４】同、後向きの分解斜視図である。
【図５】同、要部の断面図である。
【図６】本発明の実施例２を示す全体断面図である。
【発明を実施するための形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
以下、本発明の実施例１について、図１乃至図５に基づいて説明する。１は掃除機本体である。この掃除機本体１には、筒形状の本体ケース２の後部に、握り部となるハンドル等とも称せられる把手部３が設けられている。また、前記掃除機本体１は、その後側下部に、充電式電池４を内装した電池ケース５が着脱可能に取り付けられている。また、前記掃除機本体１には、前記充電式電池４に電気的に接続されるモータ６の駆動軸６Ａに羽根７を取り付けて構成された遠心型の電動送風機８が設けられている。そして、前記本体ケース２の前面９には、吸込口１０を設けた筒形状の集塵ケース１１が着脱可能に取り付けられている。なお、前記集塵ケース１１は、その後部開口部１２が前記本体ケース２の前面９に取り付けられている。
【００１３】
また、前記本体ケース２の前面９に形成された吸気口によって、前記電動送風機８の一次側８Ａが形成されていると共に、前記本体ケース２の側面２Ａに形成された排気孔によって、前記電動送風機８の二次側８Ｂが形成されている。そして、前記一次側８Ａの前側には、塵埃を捕捉するための一次フィルター１３、二次フィルター１４を備えた、フィルターアッセンブリ或いはフィルターセット等と称される、外内二重のフィルター組立体１５が設けられている。更に、把手部３の下面及び上面には、それぞれ前記電動送風機８の電源スイッチ１６の操作部１６Ａ、及び強弱切替スイッチ１７の操作部１７Ａが設けられている。
【００１４】
前記集塵ケース１１は、前部がやや幅狭となる筒形状をなしている。そして、前記集塵ケース１１は、前記本体ケース２と連なるように、上面１１Ａ、左右両側面１１Ｂ、下面１１Ｃを有している。なお、前記後部開口部１２のうち、縁１２Ａ近傍における外周の形状は、前面視で非円形、実施例でほぼ矩形状であって、その四隅を円弧部１２Ｂに形成している。そして、前記集塵ケース１１は、中空部１８を内部に形成して、この中空部１８内に塵埃を貯留できるようになっている。また、前記本体ケース２の前部の外形も、前記後部開口部１２と一致するように、前面視で非円形、本実施例でほぼ矩形状であって、その四隅を円弧部２Ｂに形成している。
【００１５】
また、前記集塵ケース１１の内部には、吸込案内筒１９を吸込口１０と連通して後向きに一体に形成している。なお、集塵ケース１１の前部に設けられた吸込口１０を接続口として、これに下向きの吸込用ノズル（図示せず）をアタッチメントとして着脱自在に設けてもよい。
【００１６】
そして、前記後部開口部１２の縁１２Ａの近傍における前記集塵ケース１１の内面１１Ｄに、突条部２０を設ける。この突条部２０は、前記フィルター組立体１５の取付用座を兼用するものである。そして、前記突条部２０の形状は、鍔（フランジ）状であって、前記後部開口部１２の縁１２Ａ近傍の内周に沿って前後方向に向かう軸線２１を中心として、前記後部開口部１２の縁１２Ａ近傍の内周から軸線２１に向かうように内向きとなって正面視で環状に設けられている。なお、本実施例では、前記軸線２１は前記モータ６の駆動軸６Ａの軸線と一致するように配置されている。図５に示すように、前記突条部２０における内周縁２０Ａの軸線２１側への集塵ケース１１の内面１１Ｄからの突出長さＬは、前記中空部１８の気流の流れを阻害しない程度に設けられている。そして、前記突条部２０の外周縁２０Ｂは、前記後部開口部１２における前記内面１１Ｄに接している。この状態で、前記突条部２０は、前記集塵ケース１１に対し、ビス等の接続手段２２を用いて固定されている。このため、前記突条部２０の外周縁２０Ｂは、正面視で非円形、本実施例ではほぼ矩形状であって、四隅は円弧部２０Ｃに形成されている。一方、前記突条部２０の内周縁２０Ａは、前記軸線２１を中心とした円形に形成されている。そして、前記突条部２０における前側、即ち前記吸込口１０、ひいては前記吸込案内筒１９と対向する部位に、傾斜部２３を設けている。この傾斜部２３は、前側から後側に行くに従って、前記集塵ケース１１の内面１１Ｄから前記突条部２０の内周縁２０Ａに向かって内寸が一様に暫減する形状に形成されている。即ち、前記突条部２０における前側に設けられる傾斜部２３では、図５に示すように、前側から後側に沿ってその外周縁２０Ｂと軸線２１との間の第一の半径Ｒより、外周縁より後退した内周縁と軸線２１との間の第二の半径ｒ側が一様に、即ちテーパー状に暫減するように形成されている。この結果、前記集塵ケース１１の内面１１Ｄ、ひいては前記突条部２０の外周縁２０Ｂから内周縁２０Ａに向かって内寸２Ｒ，２ｒが暫減（２Ｒ＞２ｒ）する傾斜部２３を設けている。そして、前記集塵ケース１１の前記傾斜部の後側の内面１１Ｄに対する前記傾斜部２３の内角Ｘは、１５乃至７５°とすることが好ましい。このため前記傾斜部の前側の内面１１Ｄに対する前記傾斜部２３の外角は、１８０°−Ｘ＝１６５乃至１０５°とすることが好ましい。
【００１７】
更に、前記突条部２０の内周縁２０Ａの後側には、短筒部２４が後側に延長するように設けられている。この短筒部２４は、前記軸線２１、即ち前記モータ６の駆動軸６Ａの軸線と同軸状に形成して、吸込気流を阻害しないように、前記後部開口部１２の縁１２Ａの内側において、後側に向けて設けられている。前記短筒部２４の後部には、内向き、即ち前記軸線２１の方向に向かって、突起状嵌合部２５が設けられている。この突起状嵌合部２５は、前記本体ケース２の前面９において一次側８Ａを囲むように設けた嵌合用受け部２６に着脱可能に嵌合することで、前記掃除機本体１に集塵ケース１１を取り付け固定できるようになっている。本実施例では、前記嵌合用受け部２６及び突起状嵌合部２５は、バヨネット構造を構成し、それぞれ周方向に間隔をおいて三箇所配置されている。従って、前記突起状嵌合部２５を溝状の前記嵌合用受け部２６の始端２６Ａに挿入した後に、前記集塵ケース１１を掃除機本体１に対して前記軸線２１を回転中心として図２の矢印表示２７と反対方向に回転させ、前記突起状嵌合部２５を溝状の前記嵌合用受け部２６の終端２６Ｂに移動させることで、前記集塵ケース１１を前記掃除機本体１に結合させることができるようになっている。
【００１８】
前記一次フィルター１３は、前側が先細な裁頭円錐形状の外側取付枠２８に設けられている。また、前記二次フィルター１４は、前側が先細な裁頭円錐形状の内側取付枠２９に設けられている。そして、前記内側取付枠２９は、前記外側取付枠２８の内側、即ち前記軸線２１側に、着脱可能に取り付けられている。そして、前記外側取付枠２８に内側取付枠２９を取り付けることで、前記フィルター組立体１５が構成されている。なお、前記二次フィルター１４は、前記一次フィルター１３よりも目が細かい。本実施例では、前記一次フィルター１３は網目状であり、前記二次フィルター１４は布状となっている。
【００１９】
前記内側取付枠２９の後部には、前記軸線２１を中心とした円環状の後側枠部２９Ａが形成されている。即ち、この後側枠部２９Ａの外周縁２９Ｂは、正面視円形に形成されている。この外周縁２９Ｂは、前記突条部２０の内周縁２０Ａ側に当接できるようになっている。また、前記外周縁２９Ｂには溝部２９Ｃが全周に亘って形成されており、この溝部２９Ｃに円環状のシール部材３０が取り付けられている。なお、このシール部材３０は、その外縁が円形となっており、前記短筒部２４の内周面２４Ａに密着できるようになっている。更に、後側後側枠部２９Ａの後端の内周縁には後向きに内周鍔部３１が一体に設けられている。この内周鍔部３１は、前記電動送風機８の一次側８Ａ（吸気口）を囲むように、前記本体ケース２の前面９に形成された環状溝部９Ａに嵌め込まれたシール部３２に密着できるようになっている。なお、前記外側取付枠２８の後部には、前記軸線２１を中心とした円環状の後側枠部２８Ａが形成されている。そして、この後側枠部２８Ａは、前記内側取付枠２９の後側枠部２９Ａの前面に密着可能に構成されている。なお、前記外側取付枠２８の後側枠部２８Ａの外周縁２８Ｂは、前記外周縁２９Ｂより径小で且つ正面視円形に形成されている。
【００２０】
次に、前記構成について、その作用を説明する。掃除を行う場合、使用者は前記電気掃除機本体１の把手部３を手で握って、前記吸込口１０を斜め下向きとして床面等の被清掃面（図示せず）に近接させると共に、前記操作部１６Ａを操作する。これによって、前記充電式電池４から電力が供給され、前記モータ６が作動することにより前記羽根７が高速回転し、一次側８Ａから吸い込んだ空気を二次側８Ｂへ排気するようになる。このため、被清掃面上の塵埃は、空気と共に前記吸込口１０から吸い込まれる。そして、空気と共に吸い込まれた塵埃のうち、粗い塵埃は、前記一次フィルター１３によって気流から分離されて、前記中空部１８内に貯留する。一方、前記一次フィルター１３を通過した細かい塵埃は、気流と共に前記二次フィルター１４に至り、この二次フィルター１４によって気流から分離される。この際、前記フィルター組立体１５と突条部２０とのシールは、前記シール部材３０によって行われる。このシール部材３０は、前記溝部２９Ｃにおいて前記内側取付枠２９に密着する。また、前述した通り、前記シール部材３０の外縁が円形となっていると共に、前記突条部２０の短筒部２４の内周面２４Ａも前記軸線２１を中心とした円形となっているので、前記シール部材３０と短筒部２４との接触箇所において両者が均一に接触する。このため、両者の接触箇所において局部応力による変形ムラ等が生じにくく、この結果、気流漏れを起こしにくくすることができる。そして、前記二次フィルター１４を通過した清浄な空気は、前記電動送風機８の一次側８Ａから二次側８Ｂへ至り、前記掃除機本体１の外部へ排気される。
【００２１】
清掃後に前記集塵ケース１１内に貯留した塵埃を排出する場合、前記掃除機本体１から前記集塵ケース１１を取り外す必要がある。前記集塵ケース１１を前記掃除機本体１から取り外す場合、前記掃除機本体１と集塵ケース１１とをそれぞれ把持し、前記集塵ケース１１を、前記軸線２１を中心として前記矢印表示２７の方向に回動させる。これによって、突起状嵌合部２５を嵌合用受け部２６の終端２６Ｂから始端２６Ａに移動させて結合状態を解除する。この状態から、前記集塵ケース１１を前記軸線２１方向に沿って前側に移動させることで、前記集塵ケース１１を前記掃除機本体１から分離することができる。そして、前記後部開口部１２側が上となるようにして前記集塵ケース１１を把持し、前記内周鍔部３１を摘まんで上方に引き出すことで、前記フィルター組立体１５を前記集塵ケース１１から取り外す。そして、前記後部開口部１２側が上となる姿勢のまま、前記集塵ケース１１を持ち運び、図５に示すように、ゴミ箱Ｔの上で前記後部開口部１２側が下となるように前記集塵ケース１１を多少傾けることで、この集塵ケース１１の中空部１８内の塵埃Ｄが前記ゴミ箱Ｔ内に排出される。
【００２２】
前記フィルター組立体１５を外して前記後部開口部１２が上となる姿勢で前記集塵ケース１１を運搬する際、この集塵ケース１１が傾くと、前記集塵ケース１１の中空部１８内の塵埃が不用意にこぼれる虞がある。しかしながら、前記集塵ケース１１の後部開口部１２に前記突条部２０が設けられているので、前記集塵ケース１１が多少傾いたとしても、前記突条部２０によって塵埃が不用意にこぼれるのを防止することができる。更に、前記集塵ケース１１から塵埃Ｄを排出する際、この塵埃Ｄの前記集塵ケース１１からの排出速度が速いと、塵埃Ｄがゴミ箱Ｔ内で舞い上がって周囲を汚してしまう虞がある。しかしながら、前記集塵ケース１１の後部開口部１２に前記突条部２０が設けられており、この突条部２０に前記傾斜部２３が設けられているので、前記集塵ケース１１の中空部１８内で前記後部開口部１２に向けて落下した塵埃Ｄの落下速度が、前記傾斜部２３に当たって低下する。このため、塵埃Ｄの前記集塵ケース１１からの排出速度を遅くして、ゴミ箱Ｔ内での塵埃Ｄの舞い上がりを抑制し、ゴミ箱Ｔの周囲を汚しにくくすることができる。
【００２３】
なお、前記集塵ケース１１から塵埃Ｄを捨てた後、前記突条部２０に前記フィルター組立体１５を装着し、更に前記突起状嵌合部２５を嵌合用受け部２６に嵌合させて前記集塵ケース１１を前記掃除機本体１に結合させることで、電気掃除機は再び使用できるようになる。
【００２４】
以上のように、前記実施例では、集塵ケース１１の後部開口部１２近傍に、内向きの突条部２０を環状に形成すると共に、前記集塵ケース１１の内面１１Ｄから前記突条部２０の内周縁２０Ａに向かって内寸２Ｒ，２ｒが暫減（２Ｒ＞２ｒ）する傾斜部２３を設けたことで、塵埃Ｄの前記集塵ケース１１からの排出を阻止することなく、塵埃Ｄが不用意に前記集塵ケース１１からこぼれるのを防止することができる。また、前記突条部２０の傾斜部２３によって、前記集塵ケース１１からの塵埃Ｄの排出速度を低下させることができるので、塵埃Ｄのゴミ箱Ｔ内における舞い上がりを抑制し、ゴミ箱Ｔの周囲を汚しにくくすることができる。
【００２５】
さらに、前記集塵ケース１１の内面１１Ｄに対する前記傾斜部２３の内角Ｘを１５°乃至７５°とすることで、塵埃Ｄの前記集塵ケース１１からの排出を阻止することなく、塵埃Ｄの不用意なこぼれを確実に阻止することができる。内角Ｘを１５°より小さくすると、前記集塵ケース１１が不用意に傾斜した際に、塵埃Ｄが傾斜部２３を乗り越えて前記集塵ケース１１からこぼれてしまう虞がある。一方、内角Ｘを７５°より大きくすると、塵埃Ｄの排出が前記傾斜部２３によって抑制され、塵埃Ｄが前記集塵ケース１１内に留まってしまう虞がある。
【００２６】
また、前記突条部２０を構成する短筒部２４の内周面２４Ａを円形に形成し、前記フィルター組立体１５のシール部材３０の外縁形状を円形とし、このシール部材３０が前記短筒部２４の内周面２４Ａに密着するよう、前記フィルター組立体１５を前記突条部２０に着脱可能としたことで、前記シール部材３０と短筒部２４との接触箇所において両者が均一に接触するため、両者の接触箇所において局部応力による変形ムラ等が生じにくく、この結果、シール部材３０全体が前記突条部２０の短筒部２４の内周面２４Ａに、全周に亘って気密に密着するので、気流漏れを起こしにくくすることができる。
【実施例２】
【００２７】
図６は実施例２を示しており、前記実施例１と同一部分には同一符号を付し、その詳細な説明を省略する。実施例２では、外側取付枠２８´の後側枠部２８Ａ´の正面視が円形の外周縁２８Ｂ´に、溝部２８Ｃ´を全周に亘って形成し、この溝部２８Ｃ´に円環状のシール部材３０を取り付けている。そして、このシール部材３０は、その外縁が円形となっており、突条部２０を構成する短筒部２４における正面視で円形となる内周面２４Ａに密着できるようになっている。
【００２８】
このように、前記突条部２０を構成する短筒部２４の内周面２４Ａを円形に形成し、前記フィルター組立体１５のシール部材３０の外縁形状を円形とし、このシール部材３０が前記突条部２０の短筒部２４の内周面２４Ａに密着するよう、前記フィルター組立体１５を前記突条部２０に着脱可能としたことで、前記シール部材３０全体が前記短筒部２４の内周面２４Ａの全周に亘って気密に密着するので、気流漏れを起こしにくくすることができる。
【００２９】
なお、本発明は以上の実施例に限定されるものではなく、発明の要旨の範囲内で種々の変形実施が可能である。例えば、上記各実施例では、傾斜部の勾配は一定であったが、塵埃が不用意にこぼれず且つ塵埃の排出を妨げない角度範囲において、傾斜部の勾配が変化するようにしても良い。また、上記各実施例では、シール部材が突条部を構成する短筒部の内周面に接触するようにしたが、シール部材が突条部の内周縁に接触するようにしても良い。更に、上記各実施例では、フィルター組立体を集塵ケースの突条部に対し着脱可能に取り付けられるようにしたが、掃除機本体の一次側に対し着脱可能に取り付けられるようにして、前記突条部の内周縁の内側から前記集塵ケースの中空部内に挿入されるようにしても良い。また、フィルター組立体のフィルターは二重など複数ではなく、一重でもよい。
【産業上の利用可能性】
【００３０】
以上のように本発明に係る電気掃除機は、各種の用途に適用できる。
【符号の説明】
【００３１】
１  掃除機本体
８  電動送風機
９  前面
１１  集塵ケース
１１Ｄ  内面
１２  後部開口部
１５  フィルター組立体
２０  突条部
２０Ａ  内周縁
２３  傾斜部
２４Ａ  内周面
２９  後側枠部
３０  シール部材
Ｒ、ｒ  半径
【図１】
0005987404.tif 000002
【図２】
0005987404.tif 000003
【図３】
0005987404.tif 000004
【図４】
0005987404.tif 000005
【図５】
0005987404.tif 000006
【図６】
0005987404.tif 000007